(57)【要約】  【課題】  複数の縫製模様を種類別の複数の模様群に分類しておき、複数の縫製模様から択一的に縫製模様を選択する際に、模様群の種類別や模様番号を作業者に容易に認識できるようにすること。  【解決手段】  操作パネル８の実用模様群キー１０を操作すると、実用模様群モードが設定され、この実用模様群をイメージさせる実用模様群指示記号１０Ａの拡大表示データが記号メモリから読み込んで表示バッファに展開される。そして、この表示バッファの表示データに基づいて、実用模様群指示記号１０Ａが液晶ディスプレイ９の中央に、第１，第２表示行９ａ，９ｂに亙って拡大サイズで表示される。そして、０．５秒経過後に、この実用模様群指示記号１０Ａは、液晶ディスプレイ９の第２表示行９ｂの左端に、通常サイズで縮小表示される。【選択図】  図１１−１
2007209668.tif 000002
【特許請求の範囲】
【請求項１】
複数の縫製模様の模様表示データを縫製模様の種類別の複数の模様群に分類して記憶したデータ記憶手段と、前記複数の縫製模様のうちから択一的に縫製模様を選択する模様選択手段と、前記模様選択手段により選択された縫製模様を表示する表示手段とを備えたミシンの縫製模様表示装置において、
複数の縫製模様の種類別に設定された複数の模様群指示記号の表示データであって、前記データ記憶手段に記憶された模様群指示記号の表示データと、
前記模様選択手段により任意の１つの模様群が選択されたとき、その模様群に対応する模様群指示記号の表示データを前記データ記憶手段から読出して前記表示手段に前記模様群指示記号を拡大サイズで表示させ、その後前記模様群指示記号を通常サイズに縮小して表示する表示制御手段と、
を備えたことを特徴とするミシンの縫製模様表示装置。
【請求項２】
前記表示制御手段は、前記模様群指示記号を拡大サイズで所定時間表示後に通常サイズに切り換えることを特徴とする請求項１に記載のミシンの縫製模様表示装置。
【請求項３】
前記複数群の群別に複数の縫製模様に模様番号が付与されており、前記模様選択手段は番号入力手段を有し、この番号入力手段により前記模様群の選択後に模様番号が入力されたとき、前記表示制御手段は前記模様番号を前記模様群指示記号と共に拡大サイズで前記表示手段に表示させることを特徴とする請求項１又は２に記載のミシンの縫製模様表示装置。
【請求項４】
前記表示制御手段は、前記模様群指示記号の拡大サイズの表示を模様番号の入力完了時から所定時間経過後に通常サイズの表示に切り換え、前記模様番号で指示される縫製模様の模様表示データを前記データ記憶手段から読出して前記表示手段に表示させることを特徴とする請求項３に記載のミシンの縫製模様表示装置。
【請求項５】
前記模様群指示記号又は模様番号の前記拡大サイズの表示は、前記通常サイズを所定倍率で拡大した表示であることを特徴とする請求項１〜４の何れかに記載のミシンの縫製模様表示装置。
【発明の詳細な説明】
【技術分野】
【０００１】
本発明は、複数の縫製模様のうちから所望の１つを選択するに際して、縫製模様の模様群の選択時にこの模様群指示記号を拡大表示し、更に、縫製模様の模様番号による選択時にこの模様番号を拡大表示するようにしたものである。
【背景技術】
【０００２】
従来、電子制御式ミシン等の縫製装置では、多数の縫製模様（実用模様、文字模様、飾り模様等）の模様表示データと縫製データとを模様番号と対応づけて制御装置内のＲＯＭやＲＯＭカード等に格納しておき、模様選択画面を介して、模様選択装置により所望の縫製模様を指定して選択し、その選択した縫製模様を縫製できるようになっている。
【０００３】
例えば、特許文献１に記載の刺繍データ処理装置は、多数の縫製模様を模様選択画面の１画面分の表示可能個数毎に頁番号により分割しておき、模様選択に際して、所望の縫製模様が表示されるまで頁キーを操作し、所望の縫製模様をタッチキーを介して選択するようにしてある。
【０００４】
また、特許文献２に記載のミシンは、模様選択手段である操作パネルのテンキーを介して、模様番号を入力することで、複数の縫製模様のうちから所望の縫製模様を指定するようにしてある。
【特許文献１】特開平９−１３２８５９号公報（第９〜１４頁、図７，図８）
【特許文献２】特開平３−６０６８９号公報（第３〜６頁、図５）
【発明の開示】
【発明が解決しようとする課題】
【０００５】
特許文献１に記載の刺繍データ処理装置においては、ディスプレイに複数の模様を表示させる必要があるので、ディスプレイが大型化し高価になる。そして、複数個の縫製模様が表示された模様表示画面を頁キー操作により画面を切換えるにしても、この画面切換えは、キー操作に対して一定の切換え態様（１種類の切換え態様）であり、表示順が最後の方の模様を選択する際には、キー操作の操作回数が多くなって操作性に劣るという問題がある。
【０００６】
特に、小型のミシンや普及クラスのミシンの場合には、大型のディスプレイを採用することが困難のため、小型のディスプレイが採用される。このため、１画面に少数の縫製模様しか表示できず、頁数が多くなり、模様選択操作の操作性に劣るとする上記の問題が顕著になる。
【０００７】
一方、特許文献２に記載のミシンにおいては、テンキーを介して模様番号を入力することで模様選択するため、例えば縫製模様数が１００を越える場合には、模様選択する為に３桁の数字キーを操作することになり、しかも、これら多数の縫製模様の中から所望する縫製模様の模様番号を入力する際、縫製模様毎の模様番号を示す模様一覧表からその模様番号を検索するのにも時間がかかり、模様選択の操作性に劣るという問題がある。
【０００８】
そこで、複数の縫製模様を複数の模様群に分類しておき、まず、所望する縫製模様が属する模様群を選択した後、その縫製模様の模様番号を入力することも考えられるが、小型のディスプレイでは、これらの情報を限られた表示スペースに表示させると、情報量が多くなって視認性が悪くなるという問題や、模様群や縫製模様数が多くなる程、模様選択操作の手順が階層化するので、模様選択の操作ミスが起こり易いという問題がある。
【０００９】
本発明の目的は、複数の縫製模様を種類別の複数の模様群に分類しておき、複数の縫製模様から択一的に縫製模様を選択する際に、模様群の種類別や模様番号を作業者に容易に認識できるようにすることである。
【課題を解決するための手段】
【００１０】
請求項１に係るミシンの縫製模様表示装置は、複数の縫製模様の模様表示データを縫製模様の種類別の複数の模様群に分類して記憶したデータ記憶手段と、複数の縫製模様のうちから択一的に縫製模様を選択する模様選択手段と、模様選択手段により選択された縫製模様を表示する表示手段とを備え、更に、複数の縫製模様の種類別に設定された複数の模様群指示記号の表示データであって、データ記憶手段に記憶された模様群指示記号の表示データと、模様選択手段により任意の１つの模様群が選択されたとき、その模様群に対応する模様群指示記号の表示データをデータ記憶手段から読出して表示手段に模様群指示記号を拡大サイズで表示させ、その後模様群指示記号を通常サイズに縮小して表示する表示制御手段とを備えたものである。
【００１１】
模様選択手段により、縫製模様の種類別に分類された複数の模様群のうちから任意の１つの模様群が選択されると、その選択された模様群に対応する模様群指示記号の表示データがデータ記憶手段から読出されて、模様群指示記号が表示手段に拡大サイズで表示される。それ故、作業者は、この拡大サイズで表示される模様群指示記号を認識して、現在、この模様群指示記号で表示される模様群の選択モードであることが分かる。
【００１２】
更に、この模様群指示記号は拡大表示の後、自動的に通常サイズに縮小して所定表示位置に表示されるので、常に通常サイズで所定表示位置に表示される模様群指示記号が示す模様群の種類が分かるのに加えて、模様群指示記号以外の各種の表示情報の表示を妨げることがない。
【００１３】
請求項２に係るミシンの縫製模様表示装置は、請求項１において、前記表示制御手段は、模様群指示記号を拡大サイズで所定時間表示後に通常サイズに切り換えるように構成されたものである。
【００１４】
請求項３に係るミシンの縫製模様表示装置は、請求項１又は２において、前記複数群の群別に複数の縫製模様に模様番号が付与されており、模様選択手段は番号入力手段を有し、この番号入力手段により模様群の選択後に模様番号が入力されたとき、表示制御手段は模様番号を模様群指示記号と共に拡大サイズで表示手段に表示させるものである。
【００１５】
請求項４に係るミシンの縫製模様表示装置は、請求項３において、前記表示制御手段は、模様群指示記号の拡大サイズの表示を模様番号の入力完了時から所定時間経過後に通常サイズの表示に切り換え、模様番号で指示される縫製模様の模様表示データをデータ記憶手段から読出して表示手段に表示させるものである。
【００１６】
請求項５に係るミシンの縫製模様表示装置は、請求項１〜４の何れかにおいて、前記模様群指示記号又は模様番号の拡大サイズの表示は、通常サイズを所定倍率で拡大して表示するように構成されたものである。
【発明の効果】
【００１７】
請求項１の発明によれば、複数の縫製模様の模様表示データを縫製模様の種類別の複数の模様群に分類して記憶したデータ記憶手段と、複数の縫製模様のうちから択一的に縫製模様を選択する模様選択手段と、模様選択手段により選択された縫製模様を表示する表示手段とを備えたミシンの縫製模様表示装置において、データ記憶手段に記憶された模様群指示記号の表示データと、表示制御手段とを備えたので、縫製模様の種類別に分類された複数の模様群のうちから任意の１つの模様群が選択されると、その選択された模様群に対応する模様群指示記号の表示データがデータ記憶手段から読出されて、模様群指示記号が表示手段に拡大サイズで表示されるため、作業者は、この拡大サイズで表示される模様群指示記号を容易に認識することができ、現在、この模様群指示記号で示される模様群の選択モードであることが容易に分かる。
【００１８】
更に、この模様群指示記号は拡大サイズによる表示の後、自動的に通常サイズに縮小して所定表示位置に表示されるので、常に通常サイズで所定表示位置に表示される模様群指示記号が示す模様群の種類が認識できるようになるのに加えて、模様群指示記号以外の各種の表示情報の表示が妨げられることがない。
【００１９】
請求項２の発明によれば、前記表示制御手段は、模様群指示記号を拡大サイズで所定時間表示後に通常サイズに切り換えるので、拡大サイズで表示される模様群指示記号を、所定時間に亙って十分に確認することができる。その他請求項１と同様の効果を奏する。
【００２０】
請求項３の発明によれば、前記複数群の群別に複数の縫製模様に模様番号が付与されており、模様選択手段は番号入力手段を有し、この番号入力手段により模様群の選択後に模様番号が入力されたとき、表示制御手段は模様番号を模様群指示記号と共に拡大サイズで表示手段に表示させるので、作業者は、この拡大サイズで表示される模様群指示記号を認識して、現在の模様群選択モードと、模様番号とを対応させて容易に確認することができる。その他請求項１又は２と同様の効果を奏する。
【００２１】
請求項４の発明によれば、前記表示制御手段は、模様群指示記号の拡大サイズの表示を模様番号の入力完了時から所定時間経過後に通常サイズの表示に切り換え、模様番号で指示される縫製模様の模様表示データを前記データ記憶手段から読出して表示手段に表示させるので、模様群指示記号の通常サイズによる表示により、模様群指示記号以外の各種の表示情報の表示が妨げられることがなく、しかも模様番号により選択した縫製模様を確認することができる。その他請求項３と同様の効果を奏する。
【００２２】
請求項５の発明によれば、前記模様群指示記号又は模様番号の拡大サイズの表示は、通常サイズを所定倍率で拡大した表示なので、拡大サイズの模様群指示記号と通常サイズの模様群指示記号とが相似形になり、模様群指示記号を、ズームイン的に拡大表示させたり、ズームアウト的に縮小表示させることができ、作業者による模様群指示記号の理解や認識が容易になる。その他請求項１〜４の何れかと同様の効果を奏する。
【発明を実施するための最良の形態】
【００２３】
本実施例におけるミシンの縫製模様表示装置は、複数の縫製模様のうちから任意の１つを選択するに際して、模様群が選択されたときに模様群指示記号が拡大サイズで表示されると共に、模様番号の入力時に、この模様番号と模様群指示記号とが拡大サイズで表示されるようにしてある。
【実施例】
【００２４】
電子制御式ジグザグミシン（以下、単にミシンと言う）Ｍについて簡単に説明する。
図１に示すように、このミシンＭは、一般的な家庭用の電子制御ミシンと同様のもで、ベッド部１と、ベッド部１の右端部から立設された脚柱部２と、脚柱部２の上端からミシンベッド部１に対向するように左方へ延びるアーム部３と、そのアーム部３の左部に設けられた頭部４とを有する。
【００２５】
アーム部３には、ミシンモータ（図２参照）で回転駆動される左右方向向きのミシン主軸（図示略）と、このミシン主軸を作業者により手動で回転操作可能なハンドプーリ（図示略）と、下端に縫針５を装着した針棒（図示略）を上下動させる針棒駆動機構（図示略）と、針棒を布送り方向と直交する左右方向に針振り揺動させる針振り機構（図示略）と、天秤を針棒の上下動に調時して上下動させる天秤駆動機構（図示略）等が設けられている。
【００２６】
アーム部３の前面側には、縫製作業の起動と停止を指令する起動停止スイッチ７等、各種のスイッチが設けられている。脚柱部２の前面には、縦型の操作パネル８が設けられている。この操作パネル８の上段部に小型（２行表示）の液晶ディスプレイ９が設けられている。
【００２７】
この液晶ディスプレイ９には、縫製模様の模様選択に際して複数種類の実用模様や飾り模様や文字模様が表示されるとともに、縫製作業に必要な布押えの種類と、糸調子や針振り幅や縫目長さの数値が表示される。ここで、液晶ディスプレイ９の上側の第１表示行９ａは上下方向に１６ドットで構成され、液晶ディスプレイの下側の第２表示行９ｂも上下方向に１６ドットで構成されている。
【００２８】
操作パネル８の下段部には、図１０に示すように、複数の実用模様の中でも特に使用頻度の高い１０個の実用模様からなる優先実用模様群を選択する優先実用模様群キー１３、その他の複数の実用模様からなる実用模様群を選択する実用模様群キー１０、複数の飾り模様からなる飾り模様群を選択する飾り模様群キー１１、複数のアルファベット文字模様からなる文字模様群を選択する文字模様群キー１２、ＯＫキー１５と、０から９までの数字と前記１０個の優先実用模様の記号を併記した数字キー１４等が設けられている。
【００２９】
ベッド部１には、送り歯（図示略）を上下動及び前後動させる布送り機構に加えて、下糸ボビンを収容し縫針５と協働する水平回転釜（図示略）、糸切り機構（図示略）等が設けられている。
【００３０】
次に、電子制御式ジグザグミシンＭの制御系について説明する。
図２に示すように、制御装置３０は、入力インターフェース１６と、ＣＰＵ１７とＲＯＭ１８及びＲＡＭ１９と電気的に書換え可能な不揮発性のフラッシュメモリ２０とを含むコンピュータと、出力インターフェース２１と、これらを電気的に接続するデータバス等のバス２２と、複数の駆動回路２３，２４等から構成されている。
【００３１】
入力インターフェース１６には、起動停止スイッチ７と、操作パネル８等が接続されている。出力インターフェース２１には、ミシンモータ２５と、針振りモータ２６と、これらモータ２５，２６を駆動させる駆動回路２３，２４と、液晶ディスプレイ（ＬＣＤ）９の為のディスプレイコントローラ（ＬＣＤＣ）２７等が接続されている。
【００３２】
ＲＯＭ１８には、ミシンモータ２５や針振りモータ２６を駆動させる駆動制御プログラム、後述する縫製模様表示制御プログラム等が予め格納されている。ＲＡＭ１９には、選択されて縫製に供する縫製模様の縫製データを記憶する縫製データメモリ、液晶ディスプレイ９に表示させる表示データを記憶する表示バッファ、その他各種のメモリやバッファ等が設けられている。
【００３３】
フラッシュメモリ２０には、図３に示す模様表示メモリ２０ａ（これがデータ記憶手段に相当する）と、図４に示す記号メモリ２０ｂと、図５に示す数字メモリ２０ｃが設けられ、電源が遮断されても、これらメモリ２０ａ〜２０ｃに格納されたデータは記憶されている。
【００３４】
模様表示メモリ２０ａには、「優先実用模様群」と「実用模様群」と、「飾り模様群」と「文字模様群」の各々について、模様番号「１、２、・・・」と、縫製模様を表示する為の模様表示データと、縫製条件表示データとがテーブル形式で記憶されている。ここで、縫製条件は、縫製模様を縫製するに際して最適な縫製条件（布押えの種類、糸調子度合い、針振り幅、縫目長さ）であり、縫製条件表示データは、デフォルトとして予め設定されている布押えの種類と糸調子度合いと針振り幅と縫目長さを表示する表示データである。
【００３５】
記号メモリ２０ｂには、「優先実用模様群」と「実用模様群」と、「飾り模様群」と「文字模様群」の各々について、模様群指示記号の通常表示データと拡大表示データとがテーブル形式で記憶されている。ここで、通常表示データは液晶ディスプレイ９の１行に表示可能な１６ドット×１６ドット構成であり、拡大表示データは液晶ディスプレイ９の第１，第２表示行９ａ，９ｂに表示可能な２４ドット×２４ドット構成である。即ち、模様群指示記号は通常サイズの１．５倍の倍率である。
【００３６】
数字メモリ２０ｃには、１〜０の数字の各々について、通常表示データと拡大表示データとがテーブル形式で記憶されている。ここで、数字の通常表示データは液晶ディスプレイ９の１行分に対応する１６ドット×７ドット構成であり、数字の拡大表示データは液晶ディスプレイ９の上下２行分に亙る２４ドット×１７ドット構成である。即ち、数字の高さ方向の拡大サイズは通常サイズの１．５倍の倍率である。
【００３７】
次に、制御装置３０で実行される縫製模様表示制御について、図６〜図９のフローチャートに基づいて説明する。但し、図中の符号Ｓｉ（ｉ＝１１、１２、１３・・・）は各ステップである。
【００３８】
電源投入後に縫製模様表示制御が開始されると、先ず、２桁数字のうちの第１数字（１０の桁数字）の入力を指示する第１数字入力フラグについて、フラグデータとして「１」が記憶されて、第１数字入力フラグがセットされ、第１数字入力状態が指示される（Ｓ１１）。次に、操作パネル８の何れのキー１０〜１４が操作されたか否かを検出するキースキャン処理が実行される（Ｓ１２）。
【００３９】
次に、模様群キー１０〜１３又は数字キー１４の操作時点でタイマーの計時動作の開始を指示するキー操作フラグについて、フラグデータとして「１」が記憶されて、キー操作フラグがセットされ、タイマーによる計時開始可能状態が指示される（Ｓ１３）。次に、キースキャン処理した結果、キー操作がなされた場合には（Ｓ１４：Ｙｅｓ）、操作されたキー１０〜１４に対応する選択模様表示データ作成制御（図７参照）が実行される（Ｓ１５）。
【００４０】
この選択模様表示データ作成制御が開始されると、先ず、模様群キー１０〜１３（実用模様群キー１０、飾り模様群キー１１、文字模様群キー１２、優先実用模様群キー１３）の何れかが操作された場合に（Ｓ２１：Ｙｅｓ）、キー操作フラグがセット（フラグデータ＝１）されている場合には（Ｓ２２：Ｙｅｓ）、キー操作フラグがリセット（フラグデータ←０）され（Ｓ２３）、タイマーの計時が開始される（Ｓ２４）。
【００４１】
次に、模様群選択モードとして、操作された模様群キー１０〜１３に対応する模様群選択モードが設定される（Ｓ２５）。次に、設定された模様群選択モードに最適な縫製条件（デフォルトの布押えの種類、糸調子状態、針振り幅、縫目長さ）の為の縫製条件表示データが模様表示メモリ２０ａから読み込んで表示バッファに展開される（Ｓ２６）。次に、設定された模様群選択モードに対応する模様群指示記号１０Ａ〜１３Ａの拡大表示データが記号メモリ２０ｂから読み込まれる（Ｓ２７）。
【００４２】
次に、模様群指示記号１０Ａ〜１３Ａを液晶ディスプレイ９の中央に上下２行に亙って表示するように、模様群指示記号１０Ａ〜１３Ａの拡大表示データが表示バッファに上書き展開される（Ｓ２８）。そして、一連の表示処理の実行中を指示する表示処理中フラグについて、フラグデータとして「１」が記憶され、表示処理中が指示される（Ｓ２９）。その後、数字キー１４が操作されず（Ｓ４１：Ｎｏ）、ＯＫキー１５も操作されていないので（Ｓ６１：Ｎｏ）、この制御を終了して縫製模様表示制御にリターンする。
【００４３】
縫製模様表示制御においては、表示バッファに展開された表示データが液晶ディスプレイ９に表示され（Ｓ１６）、表示処理中フラグがセット（フラグデータ＝１）されている場合には（Ｓ１７：Ｙｅｓ）、Ｓ１４以降が繰返して実行される。この場合、Ｓ１４では、「Ｙｅｓ」と判定され、選択模様表示データ作成処理が繰返して実行される。
【００４４】
それ故、選択模様表示データ作成制御が実行され、タイマーの計時時間に基づいて、０．５秒が経過していない場合には（Ｓ３０：Ｎｏ）、Ｓ２９が実行されて、この制御を終了する。しかし、選択模様表示データ作成制御が実行されて、タイマーの計時時間が０．５秒を経過した場合には（Ｓ３０：Ｙｅｓ）、Ｓ２６と同様に、模様表示メモリ２０ａから縫製条件表示データが読み込まれて表示バッファに展開される（Ｓ３１）。
【００４５】
次に、設定された模様群選択モードに対応する模様群指示記号１０Ａ〜１３Ａの通常表示データが記号メモリ２０ｂから読み込まれる（Ｓ３２）。次に、模様群指示記号１０Ａ〜１３Ａを液晶ディスプレイ９の第２表示行９ｂの左端に表示するように、模様群指示記号１０Ａ〜１３Ａの通常データが表示バッファに上書き展開される（Ｓ３３）。次に、表示処理フラグについて、フラグデータとして「０」が記憶され、表示処理終了が指示される（Ｓ３４）。
【００４６】
その後、数字キー１４が操作されず（Ｓ４１：Ｎｏ）、ＯＫキー１５も操作されていないので（Ｓ６１：Ｎｏ）、この制御を終了して縫製模様表示制御にリターンする。縫製模様表示制御においては、表示バッファに展開された表示データが液晶ディスプレイ９に表示され（Ｓ１６）、表示処理中フラグがセット（フラグデータ＝１）されていない場合には（Ｓ１７：Ｎｏ）、Ｓ１２以降が繰返して実行される。
【００４７】
次に、実用模様群モード、飾り模様群モード、又は文字模様群モードのときに数字キー１４が操作された場合に（Ｓ４１：Ｙｅｓ）、第１数字入力フラグがセット（フラグデータ＝１）されている場合、つまり１０の桁の数字入力状態のときには（Ｓ４２：Ｙｅｓ）、第１数字入力フラグがリセット（フラグデータ←０）される（Ｓ４３）。次に、Ｓ２６と同様に、模様表示メモリ２０ａから縫製条件表示データが読み込まれて表示バッファに展開される（Ｓ４４）。
【００４８】
次に、設定された模様群選択モードに対応する模様群指示記号１０Ａ〜１２Ａの拡大表示データが記号メモリ２０ｂから読み込まれ且つ第１数字（１０の桁数字）の拡大表示データが数字メモリ２０ｃから読み込まれ、模様群指示記号１０Ａ〜１２Ａと第１数字とを液晶ディスプレイ９の中央に上下２行に亙って表示するように、模様群指示記号１０Ａ〜１２Ａと第１数字の拡大表示データが表示バッファに上書き展開される（Ｓ４５）。
【００４９】
そして、表示処理フラグがリセット（フラグデータ＝０）される（Ｓ４６）。その後、ＯＫキー１５が操作されていないので（Ｓ６１：Ｎｏ）、この制御を終了して模様選択表示制御にリターンする。
【００５０】
縫製模様表示制御においては、前述したように、表示バッファに展開された表示データが液晶ディスプレイ９に表示され（Ｓ１６）、表示処理中フラグがセットされていない場合には（Ｓ１７：Ｎｏ）、Ｓ１２以降が繰返して実行される。この場合、キースキャン処理されて（Ｓ１２）、次の第２数字キー１４が操作された場合（Ｓ１４：Ｙｅｓ）、Ｓ４１においてＹｅｓと判定され、Ｓ４２においてＮｏと判定される。
【００５１】
次に、キー操作フラグがセット（フラグデータ＝１）されている場合には（Ｓ４７：Ｙｅｓ）、このキー操作フラグがリセット（フラグデータ←０）され（Ｓ４８）、タイマーの計時が開始される（Ｓ４９）。次に、Ｓ２６と同様に、模様表示メモリ２０ａから縫製条件表示データが読み込まれて表示バッファに展開される（Ｓ５０）。
【００５２】
次に、設定された模様群選択モードに対応する模様群指示記号１０Ａ〜１２Ａの拡大表示データが記号メモリ２０ｂから読み込まれ且つ第１数字（１０の桁数字）と第２数字（１の桁数字）の拡大表示データが数字メモリ２０ｃから読み込まれ、模様群指示記号１０Ａ〜１２Ａと第１数字と第２数字とを液晶ディスプレイ９の中央に上下２行に亙って表示するように、模様群指示記号１０Ａ〜１２Ａと第１数字と第２数字の拡大表示データが表示バッファに上書き展開される（Ｓ５１）。
【００５３】
そして、表示処理フラグがセットされる（Ｓ５２）。その後、ＯＫキー１５が操作されていないので（Ｓ６１：Ｎｏ）、この制御を終了して縫製模様表示制御にリターンする。縫製模様表示制御においては、前述したように、表示バッファに展開された表示データが液晶ディスプレイ９に表示され（Ｓ１６）、表示処理中フラグがセットされている場合には（Ｓ１７：Ｙｅｓ）、Ｓ１４以降が繰返して実行される。この場合、Ｓ１４ではＹｅｓと判定され、選択模様表示データ作成処理が繰返して実行される。
【００５４】
それ故、タイマーの計時が０．５秒経過するまで、Ｓ４１：Ｙｅｓ、Ｓ４２：Ｎｏ、Ｓ４７：Ｎｏ、Ｓ５３：Ｎｏ、Ｓ５２、が繰返して実行される。タイマーの計時が０．５秒経過したときには（Ｓ５３：Ｙｅｓ）、Ｓ２６と同様に、模様表示メモリ２０ａから縫製条件表示データが読み込まれて表示バッファに展開される（Ｓ５４）。次に、設定された模様群選択モードに対応する模様群指示記号１０Ａ〜１２Ａの通常表示データが記号メモリ２０ｂから読み込まれる（Ｓ５５）。
【００５５】
次に、模様群指示記号１０Ａ〜１２Ａを液晶ディスプレイ９の第２表示行９ｂの左端に表示するように、模様群指示記号１０Ａ〜１２Ａの通常データが表示バッファに上書き展開され（Ｓ５６）、模様群選択モードに対応する模様群のうちの２桁数字で指示される模様番号の模様表示データが模様表示メモリ２０ａから読み込まれて表示バッファに上書き展開される（Ｓ５７）。そして、第１数字入力フラグがセットされ（Ｓ５８）、更に、表示処理中フラグがリセットされる（Ｓ５９）。
【００５６】
その後、ＯＫキー１５が操作されていないので（Ｓ６１：Ｎｏ）、この制御を終了して縫製模様表示制御にリターンする。縫製模様表示制御においては、前述したように、表示バッファに展開された表示データが液晶ディスプレイ９に表示され（Ｓ１６）、表示処理中フラグがセットされていない場合には（Ｓ１７：Ｎｏ）、Ｓ１２以降が繰返して実行される。
【００５７】
ところで、前述したように、第１数字キー１４が操作され、Ｓ４２：Ｙｅｓ、Ｓ４３〜Ｓ４６が実行された後、ＯＫキー１５が操作された場合で（Ｓ６１：Ｙｅｓ）、第１数字入力フラグがリセットされている場合、つまり１０の桁の数字が既に入力されている場合には（Ｓ６２：Ｙｅｓ）、Ｓ２６と同様に、模様表示メモリ２０ａから縫製条件データが読み込まれて表示バッファに展開される（Ｓ６３）。
【００５８】
次に、設定された模様群選択モードに対応する模様群指示記号１０Ａ〜１２Ａの通常表示データが記号メモリ２０ｂから読み込まれる（Ｓ６４）。次に、模様群指示記号１０Ａ〜１２Ａを液晶ディスプレイ９の第２表示行９ｂの左端に表示するように、模様群指示記号１０Ａ〜１２Ａの通常表示データが表示バッファに上書き展開され（Ｓ６５）、模様群選択モードに対応する１桁で指示される模様番号の模様表示データが模様表示メモリ２０ａから読み込まれて表示バッファに上書き展開される（Ｓ６６）。
【００５９】
そして、第１数字入力フラグがセットされ（Ｓ６７）、更に、表示処理中フラグがリセットされ（Ｓ６８）、この制御を終了して縫製模様表示制御にリターンする。縫製模様表示制御においては、前述したように、表示バッファに展開された表示データが液晶ディスプレイ９に表示され（Ｓ１６）、表示処理中フラグがセットされていない場合には（Ｓ１７：Ｎｏ）、Ｓ１２以降が繰返して実行される。
【００６０】
ここで、Ｓ１４とＳ２１とＳ４１とＳ４２とＳ４７を実行する制御装置３０が模様選択手段に相当する。Ｓ２１とＳ２７とＳ２８とＳ３０とＳ３２とＳ３３とＳ４５とＳ５１とＳ５５〜Ｓ５７を実行する制御装置３０が表示制御手段に相当する。Ｓ１４とＳ４１とＳ４２とＳ４７を実行する制御装置３０が番号入力手段に相当する。
【００６１】
次に、このように構成された、電子制御式ジグザグミシンＭの作用及び効果について説明する。
このジグザグミシンＭに電源が投入されると、図１０に示すように、初期画面が液晶ディスプレイ９に表示される。この初期画面においては、「布押えの記号」と、模様番号「０１」の「左基線の直線模様」とが上側の第１表示行９ａに表示され、優先実用模様群指示記号１３Ａと、「糸調子記号」及びこの数値「４．０」と、「針振り幅記号」及びこの数値「０．０」と、「縫目長さ記号」及びこの数値「２．５」からなる縫製条件とが下側の第２表示１０ｂに表示される。
【００６２】
そこで、作業者が「実用模様群キー１０」を操作すると、図１１−１に示すように、この選択された実用模様群の実用模様群指示記号１０Ａが、液晶ディスプレイ９の中央に、第１表示行９ａと第２表示行９ｂとに亙って拡大サイズで表示される。そして、この拡大された実用模様群指示記号１０Ａが０．５秒間表示され後、図１１−２に示すように、実用模様群指示記号１０Ａが液晶ディスプレイ９の第２表示行９ｂの左端に通常サイズに縮小して表示される。
【００６３】
それ故、作業者は、実用模様群指示記号１０Ａの拡大サイズの表示により、現在、実用模様群を選択する状態であることが明確に分かる。更に、実用模様群指示記号１０Ａが拡大サイズで表示された後、約０．５秒後に通常サイズに縮小されて第２表示行９ｂの左端に表示されるので、作業者は、第２表示行９ｂの左端に表示された記号が「実用模様群指示記号１０Ａ」であることが分かり、模様選択途中においても、「実用模様群指示記号１０Ａ」が表示されている限り、現在の模様群選択モードが実用模様群選択モードであることが容易に分かる。
【００６４】
その後、「３８番」の実用模様を選択する為に、１０の桁の第１数字「３」に対応する「３」キーを操作すると、図１１−３に示すように、「実用模様群指示記号１０Ａ」と数字「３」とが液晶ディスプレイ９の中央に、第１表示行９ａと第２表示行９ｂとに亙って拡大サイズで表示される。その為、作業者は、この拡大サイズの表示を介して、実用模様群の選択モードであり、しかも入力した１０の桁数字が「３」であることを容易に確認することができる。
【００６５】
更に、１の桁の第２数字「８」に対応する「８」キーを操作すると、図１１−４に示すように、「実用模様群指示記号１０Ａ」と数字「３」と数字「８」とが液晶ディスプレイ９の中央に、第１表示行９ａと第２表示行９ｂとに亙って拡大サイズで表示される。その為、作業者は、この拡大サイズの表示を介して、実用模様群の選択であり、しかも入力した２桁数字が「３８」であることを容易に確認することができる。
【００６６】
そして、この表示の後、約０．５秒後に、図１１−５に示すように、「実用模様群指示記号１０Ａ」が元の表示位置に通常サイズで縮小表示され、しかも模様番号「３８番」の実用模様が液晶ディスプレイ９の第１表示行９ａに表示される。その為、作業者は、表示された縫製模様が、模様番号「３８」の実用模様であることを容易に且つ確実に分かる。
【００６７】
次に、作業者が「飾り模様群キー１１」を操作すると、図１２−１に示すように、この選択された飾り模様群の飾り模様群指示記号１１Ａが、液晶ディスプレイ９の中央に、第１，第２表示行９ａ，９ｂに亙って拡大サイズで表示される。そして、この拡大された飾り模様群指示記号１１Ａが０．５秒間表示され後、図１２−２に示すように、飾り模様群指示記号１１Ａが液晶ディスプレイ９の第２表示行９ｂの左端に通常サイズに縮小して表示される。
【００６８】
それ故、作業者は、飾り模様群指示記号１１Ａの拡大サイズ表示により、現在、飾り模様群を選択する状態であることが明確に分かる。更に、飾り模様群指示記号１１Ａが拡大サイズで表示された後、約０．５秒後に通常サイズに縮小されて第２表示行９ｂの左端に表示されるので、作業者は、第２表示行９ｂの左端に表示された記号が「飾り模様群指示記号１１Ａ」であることが分かり、模様選択途中においても、「飾り模様群指示記号１１Ａ」が表示されている限り、現在の模様群選択モードが飾り模様群選択モードであることが容易に分かる。
【００６９】
その後、「５２番」の飾り模様を選択する為に、１０の桁の第１数字「５」に対応する「５」キーを操作すると、図１２−３に示すように、「飾り模様群指示記号１１Ａ」と数字「５」とが液晶ディスプレイ９の中央に、第１，第２表示行９ａ，９ｂに亙って拡大サイズで表示される。その為、作業者は、この拡大サイズの表示を介して、飾り模様群の選択であり、しかも入力した数字が「５」であることを容易に確認することができる。
【００７０】
更に、１の桁の第２数字「２」に対応する「２」キーを操作すると、図１２−４に示すように、「飾り模様群指示記号１１Ａ」と数字「５」と数字「２」とが液晶ディスプレイ９の中央に、第１，第２表示行９ａ，９ｂに亙って拡大サイズで表示される。その為、作業者は、この拡大サイズの表示を介して、飾り模様群の選択であり、しかも入力した２桁数字が「５２」であることを容易に確認することができる。
【００７１】
そして、この表示の後、約０．５秒後に、図１２−５に示すように、「飾り模様群指示記号１１Ａ」が元の表示位置に通常サイズで縮小表示され、しかも模様番号「５２」の飾り模様が液晶ディスプレイ９の第１表示行９ａに表示される。その為、作業者は、表示された縫目模様が、模様番号「３８」の飾り模様であることを容易に且つ確実に分かる。
【００７２】
更に、作業者が「文字模様群キー１２」を操作すると、図１３−１に示すように、この選択された文字模様群の文字模様群指示記号１２Ａが、液晶ディスプレイ９の中央に、第１，第２表示行９ａ，９ｂに亙って拡大サイズで表示される。そして、この拡大された文字模様群指示記号１２Ａが０．５秒間表示された後、図１３−２に示すように、文字模様群指示記号１２Ａが液晶ディスプレイ９の第２表示行９ｂの左端に通常サイズに縮小して表示される。
【００７３】
それ故、作業者は、文字模様群指示記号１２Ａの拡大サイズ表示により、現在、文字模様群を選択する状態であることが明確に分かる。更に、文字模様群指示記号１２Ａが拡大サイズで表示された後、約０．５秒後に通常サイズに縮小されて第２表示行９ｂの左端に表示されるので、作業者は、第２表示行９ｂの左端に表示された記号が「文字模様群指示記号１２Ａ」であることが分かり、模様選択途中においても、「文字模様群指示記号１２Ａ」が表示されている限り、現在の模様群選択モードが文字模様群選択モードであることが容易に分かる。
【００７４】
その後、「１番」の文字模様を選択する為に、１０の桁の第１数字「０」に対応する「０」キーを操作すると、図１３−３に示すように、「文字模様群指示記号１２Ａ」と数字「０」とが液晶ディスプレイ９の中央に、第１，第２表示行９ａ，９ｂに亙って拡大サイズで表示される。その為、作業者は、この拡大サイズの表示を介して、文字模様群の選択であり、しかも入力した数字が「０」であることを容易に確認することができる。
【００７５】
更に、１の桁の第２数字「１」に対応する「１」キーを操作すると、図１３−４に示すように、「文字模様群指示記号１２Ａ」と数字「０」と数字「１」とが液晶ディスプレイ９の中央に、第１，第２表示行９ａ，９ｂに亙って拡大サイズで表示される。その為、作業者は、この拡大サイズの表示を介して、文字模様群の選択であり、しかも入力した２桁数字が「０１」であることを容易に確認することができる。
【００７６】
そして、この表示の後、約０．５秒後に、図１３−５に示すように、「文字模様群指示記号１２Ａ」が元の表示位置に通常サイズで縮小表示され、しかも模様番号「０１」の文字模様が液晶ディスプレイ９の第１表示行９ａに表示される。その為、作業者は、表示された縫目模様が、模様番号「０１」の文字模様であることを容易に且つ確実に分かる。また。「１番〜９番」の１桁の模様番号を入力するときは、「１〜９」の数字を入力した後に、ＯＫキー１５を操作しても良い。
【００７７】
ところで、優先実用模様群のうちの３番目の実用模様を選択する場合には、優先実用模様群キー１３を操作すると、優先実用模様群指示記号１３Ａが、液晶ディスプレイ９の中央に、第１，第２表示行９ａ，９ｂに亙って拡大サイズで表示される。そして、この拡大された文字模様群指示記号１３Ａが０．５秒間表示された後、図１０に示すように、文字模様群指示記号１３Ａが液晶ディスプレイ９の第２表示行９ｂの左端に通常サイズに縮小して表示される。
【００７８】
その後、「３」の数字キー１４を操作すると、優先実用模様群のうちの模様番号「３」に対応する優先実用模様が液晶ディスプレイ９の第１表示行９ａに表示される。ところで、存在しない模様番号が誤って入力された場合には、ミシンＭに内蔵されたスピーカから「ピッピッ」と警告音が鳴り、警告される。
【００７９】
このように、複数の縫製模様の種類別に設定された複数の模様群指示記号１０Ａ〜１３Ａの表示データであって、模様表示メモリ２０ａに記憶された模様群指示記号１０Ａ〜１３Ａの表示データと、模様群キー１０〜１３により任意の１つの模様群が選択されたとき、その模様群に対応する模様群指示記号１０Ａ〜１３Ａの表示データが模様表示メモリ２０ａから読出して液晶ディスプレイ９に模様群指示記号１０Ａ〜１３Ａを拡大サイズで表示させ、その後模様群指示記号１０Ａ〜１２Ａを通常サイズに縮小して表示するので、作業者は、この拡大サイズで表示される模様群指示記号１０Ａ〜１３Ａを容易に認識することができ、現在、この模様群指示記号１０Ａ〜１３Ａで示される模様群の選択モードであることが容易に分かる。
【００８０】
更に、この模様群指示記号１０Ａ〜１３Ａは拡大サイズによる表示の後、自動的に通常サイズに縮小して所定表示位置に表示されるので、常に通常サイズで所定表示位置に表示される模様群指示記号１０Ａ〜１３Ａが示す模様群の種類が認識できるようになるのに加えて、模様群指示記号１０Ａ〜１３Ａ以外の縫製条件の表示が妨げられることがない。
【００８１】
また、模様群指示記号１０Ａ〜１３Ａは、拡大サイズで所定時間表示後に通常サイズに切り換えて表示されるので、拡大サイズで表示される模様群指示記号１０Ａ〜１３Ａを、約０．５秒間に亙って十分に確認することができる。
【００８２】
また、複数群の群別に複数の縫製模様に模様番号が付与されており、模様群の選択後に模様番号が入力されたとき、模様番号が模様群指示記号１０Ａ〜１２Ａと共に拡大サイズで液晶ディスプレイ９に表示されるので、作業者は、この拡大サイズで表示される模様群指示記号１０Ａ〜１２Ａを認識して、現在の模様群選択モードと、模様番号とを対応させて容易に確認することができる。
【００８３】
また、模様群指示記号１０Ａ〜１２Ａの拡大サイズの表示は、模様番号の入力完了時から０．５秒経過後に通常サイズの表示に切り換えられ、同時に模様番号で指示される縫製模様の模様表示データが模様表示メモリ２０ａから読出して液晶ディスプレイ９に表示されるので、模様群指示記号１０Ａ〜１２Ａの通常サイズによる表示により、模様群指示記号１０Ａ〜１２Ａ以外の縫製条件の表示が妨げられることがなく、しかも模様番号により選択した縫製模様を確認することができる。
【００８４】
更に、模様群指示記号１０Ａ〜１２Ａ又は模様番号の拡大サイズの表示は、通常サイズを約１．５倍の倍率で拡大した表示なので、拡大サイズの模様群指示記号１０Ａ〜１２Ａと通常サイズの模様群指示記号１０Ａ〜１２Ａとがほぼ相似形になり、模様群指示記号１０Ａ〜１２Ａを、ズームイン的に拡大表示させたり、ズームアウト的に縮小表示させることができ、作業者による模様群指示記号１０Ａ〜１２Ａの理解や認識が容易になる。
【００８５】
次に、前記実施例の変更形態について説明する。
１）模様群指示記号１０Ａ〜１３Ａや模様番号の拡大サイズは、小型の液晶ディスプレイ９であっても、第１，第２表示行９ａ，９ｂの表示行に亙る最大の拡大倍率でもって、通常サイズを拡大して表示させるようにしてもよい。
【００８６】
２）液晶ディスプレイ９がカラー表示可能な場合には、これら拡大サイズの模様群指示記号１０Ａ〜１３Ａや模様番号を、背景の表示色とは異なる色で、且つ視認性の高い赤色系や黄色系の表示色で表示させてもよい。また、これら拡大サイズの模様群指示記号１０Ａ〜１３Ａや模様番号を点滅表示させたり、表示位置が徐々に移動するように表示させてもよい。
【００８７】
３）模様群指示記号１０Ａ〜１３Ａや模様番号を拡大サイズで表示させる所定時間は、０．５秒に限るものではなく、作業者の熟練度合いに応じて表示時間を任意に設定可能に構成するようにしてもよく、選択する模様群の選択回数に応じて、拡大サイズによる表示時間を徐々に短くするように構成してもよい。
【００８８】
４）各模様群に設ける縫製模様数が多い為に、各模様群の下層において、複数の縫製模様を分類する複数のページ模様群を設け、各ページ模様群に複数の縫製模様を設ける場合には、模様群キー１０〜１３を操作する毎に、これら複数のページ模様群を、サイクリックに切換えながら選択するようにしてもよい。
【００８９】
５）本発明は以上説明した実施の形態に限定されるものではなく、当業者であれば、本発明の趣旨を逸脱しない範囲で、前記実施形態に種々の変更を付加して実施することができ、本発明はそれらの変更形態をも包含するものである。
【図面の簡単な説明】
【００９０】
【図１】本発明の実施例に係る電子制御式ジグザグミシンの斜視図である。
【図２】電子制御式ジグザグミシンの制御系のブロック図である。
【図３】模様表示メモリのデータ構成を説明する図表である。
【図４】記号メモリのデータ構成を説明する図表である。
【図５】数字メモリのデータ構成を説明する図表である。
【図６】縫製模様表示制御のフローチャートである。
【図７】選択模様表示データ作成制御の一部である。
【図８】選択模様表示データ作成制御の一部である。
【図９】選択模様表示データ作成制御の残部である。
【図１０】初期画面が表示された操作パネルの正面図である。
【図１１−１】実用模様群指示記号が拡大表示された操作パネルの正面図である。
【図１１−２】実用模様群指示記号が縮小表示された操作パネルの正面図である。
【図１１−３】実用模様群指示記号と第１数字とが拡大表示された操作パネルの正面図である。
【図１１−４】実用模様群指示記号と第１数字と第２数字とが拡大表示された操作パネルの正面図である。
【図１１−５】通常サイズの実用模様群指示記号と実用模様とが表示された操作パネルの正面図である。
【図１２−１】飾り模様群指示記号が拡大表示された操作パネルの正面図である。
【図１２−２】飾り模様群指示記号が縮小表示された操作パネルの正面図である。
【図１２−３】飾り模様群指示記号と第１数字とが拡大表示された操作パネルの正面図である。
【図１２−４】飾り模様群指示記号と第１数字と第２数字とが拡大表示された操作パネルの正面図である。
【図１２−５】通常サイズの飾り模様群指示記号と飾り模様とが表示された操作パネルの正面図である。
【図１３−１】文字模様群指示記号が拡大表示された操作パネルの正面図である。
【図１３−２】文字模様群指示記号が縮小表示された操作パネルの正面図である。
【図１３−３】文字模様群指示記号と第１数字とが拡大表示された操作パネルの正面図である。
【図１３−４】文字模様群指示記号と第１数字と第２数字とが拡大表示された操作パネルの正面図である。
【図１３−５】通常サイズの文字模様群指示記号と文字模様とが表示された操作パネルの正面図である。
【符号の説明】
【００９１】
Ｍ      電子制御式ジグザグミシン
８      操作パネル
９      液晶ディスプレイ
１０    実用模様群キー
１１    飾り模様キー
１２    文字模様群キー
１３    優先実用模様群キー
３０    制御装置
【図１】
2007209668.tif 000003
【図２】
2007209668.tif 000004
【図３】
2007209668.tif 000005
【図４】
2007209668.tif 000006
【図５】
2007209668.tif 000007
【図６】
2007209668.tif 000008
【図７】
2007209668.tif 000009
【図８】
2007209668.tif 000010
【図９】
2007209668.tif 000011
【図１０】
2007209668.tif 000012
【図１１−１】
2007209668.tif 000013
【図１１−２】
2007209668.tif 000014
【図１１−３】
2007209668.tif 000015
【図１１−４】
2007209668.tif 000016
【図１１−５】
2007209668.tif 000017
【図１２−１】
2007209668.tif 000018
【図１２−２】
2007209668.tif 000019
【図１２−３】
2007209668.tif 000020
【図１２−４】
2007209668.tif 000021
【図１２−５】
2007209668.tif 000022
【図１３−１】
2007209668.tif 000023
【図１３−２】
2007209668.tif 000024
【図１３−３】
2007209668.tif 000025
【図１３−４】
2007209668.tif 000026
【図１３−５】
2007209668.tif 000027